(57)【特許請求の範囲】
【請求項１】
シートバックの前後の傾動を当接対象との当接により規制するストッパがシートフレームから幅方向に張り出して設けられた乗物用シートであって、
前記ストッパが、前記シートバックのサイドフレームから幅方向に略逆台形状に張り出す形に絞り加工されて形成され、その張り出した先の前後の側面部が前記当接対象に対して真っ直ぐ面当たりする面形状とされる乗物用シート。
【請求項２】
請求項１に記載の乗物用シートであって、
前記ストッパが、前記サイドフレームの前後方向の両端箇所を残す中央箇所に形成されている乗物用シート。
【請求項３】
シートバックの前後の傾動を当接対象との当接により規制するストッパがシートフレームから幅方向に張り出して設けられた乗物用シートであって、
前記ストッパが、前記シートバックのサイドフレームから幅方向に切り起こされると共に、その切り起こされた箇所自体が折畳み状に折り重ねられた形状から成る乗物用シート。
【発明の詳細な説明】
【技術分野】
【０００１】
本発明は、乗物用シートに関する。詳しくは、シートフレームにシートバックの傾動を当接により規制するストッパが幅方向に張り出して設けられた乗物用シートに関する。
【背景技術】
【０００２】
従来、車両用シートにおいて、シートバックが左右一対のリクライナを介してシートクッションの後端部に背凭れ角度の調節を行える状態に連結されたものが知られている（特許文献１）。具体的には、上記シートバックは、その左右両側の各サイドフレームの下端部が、それぞれ、リクライナを介して、シートクッションの左右両側の後端部に結合されたリクライニングプレートに連結されている。上記シートバックは、上述した各サイドフレームの外側部に結合されたストッパ片が、各リクライニングプレートに突出して形成された突起と当接することにより、その前後方向の傾動が止められるようになっている。
【先行技術文献】
【特許文献】
【０００３】
【特許文献１】特開２０１１−１８３１２２号公報
【発明の概要】
【発明が解決しようとする課題】
【０００４】
しかし、上記従来技術では、シートバックの傾動を止めるために別部材としてのストッパ片が必要となるため、部品点数が増大してしまう。本発明は、上記問題を解決するものとして創案されたものであって、本発明が解決しようとする課題は、シートバックの傾動を規制するストッパ構造を合理的な構成で得ることにある。
【課題を解決するための手段】
【０００５】
上記課題を解決するために、本発明の乗物用シートは次の手段をとる。
【０００６】
第１の発明は、シートフレームにシートバックの傾動を当接により規制するストッパが幅方向に張り出して設けられた乗物用シートであって、上記ストッパがシートフレームの一部を移設して形成されているものである。
【０００７】
この第１の発明によれば、シートフレームにストッパを形成するために、シートフレームとは別の部材を用意する必要がなくなる。したがって、シートバックの傾動を規制するストッパ構造を合理的な構成で得ることができる。
【０００８】
第２の発明は、上述した第１の発明において、次の構成とされているものである。ストッパが、シートバックのサイドフレームの一部が幅方向に絞り加工されて形成されている。
【０００９】
この第２の発明によれば、ストッパを、サイドフレームと一体的かつ閉断面で張り出す高い構造強度を備えた形に形成することができる。また、ストッパを、サイドフレームと結合することなく、サイドフレームと一体的な形に形成することができる。
【００１０】
第３の発明は、上述した第１又は第２の発明において、次の構成とされているものである。ストッパが、サイドフレームの前後方向の両端箇所を残す中央箇所に形成されている。
【００１１】
この第３の発明によれば、ストッパを、絞り加工時に伸張しやすいサイドフレームの中央箇所に形成することで、適切に張り出させた形に形成することができる。
【００１２】
第４の発明は、上述した第１の発明において、次の構成とされているものである。ストッパが、シートバックのサイドフレームの一部が幅方向に切り起こされて形成されている。
【００１３】
この第４の発明によれば、ストッパを、サイドフレームと結合することなく、サイドフレームと一体的な形に簡便に形成することができる。
【００１４】
第５の発明は、上述した第４の発明において、次の構成とされているものである。ストッパの切り起こされた箇所が折り重ねられている。
【００１５】
この第５の発明によれば、ストッパを、簡便かつ高い構造強度を備えた形に形成することができる。
【図面の簡単な説明】
【００１６】
【図１】実施例１の乗物用シートの概略構成を表した斜視図である。
【図２】リクライナによる連結部の構成を拡大して表した斜視図である。
【図３】図２を裏側から見た斜視図である。
【図４】図２のIV-IV線断面図である。
【図５】シートバックの傾動がストッパの当接により止められた状態を表した側面図である。
【図６】実施例２の乗物用シートの要部構造を表した斜視図である。
【図７】図６のVII-VII線断面図である。
【発明を実施するための形態】
【００１７】
以下に、本発明を実施するための形態について、図面を用いて説明する。
【実施例１】
【００１８】
＜シート１の基本構造＞
始めに、実施例１のシート１（乗物用シート）の構成について、図１〜図５を用いて説明する。先ず、図１を参照しながら、シート１の基本構成について説明する。なお、以下の説明において、「シート幅方向」「シート高さ方向」等、各種方向に「シート」を付して説明する場合には、シート１に対する各種方向を示すものとする。また、「シート外側」「シート内側」と示す場合には、シート幅方向における内側、外側をそれぞれ示すものとする。また、「車両外側」「車両内側」と示す場合には、車両の幅方向における内側、外側をそれぞれ示すものとする。
【００１９】
本実施例のシート１は、図１に示すように、自動車の左側座席として構成されている。上記シート１は、着座者の背凭れとなるシートバック２と、着座部となるシートクッション３と、頭凭れとなるヘッドレスト４と、を備えた構成となっている。
【００２０】
＜シートバック２＞
上述したシートバック２は、シートクッション３の後端部に、左右一対の電動式のリクライナ２０を介して背凭れ角度の調節を行える状態に連結されている。上記各リクライナ２０は、常時はシートバック２の背凭れ角度を固定した状態に保持されている。各リクライナ２０は、シートクッション３の乗降ドア（不図示）側に面する車両外側の側部に設けられたスイッチ２０Ａを前後に押し傾ける操作によって、シートバック２の背凭れ角度を対応する各操作方向に傾動させられるように駆動回転するようになっている。
【００２１】
＜シートクッション３＞
シートクッション３は、車両のフロア上に、左右一対の電動式のスライドレール５を介して前後方向に位置調節を行える状態に連結されている。上記各スライドレール５は、常時はシートクッション３の前後位置を固定した状態に保持されている。各スライドレール５は、シートクッション３の車両外側の側部に設けられたスイッチ５Ａを前後に押し引きする操作によって、シートクッション３の前後位置を対応する各操作方向に押動するように駆動するようになっている。
【００２２】
＜シートバック２の骨組み構造＞
上述したシートバック２は、詳しくは、その骨格を成すバックフレーム１０が、正面視四角枠状の形に組まれた構成とされている。ここで、バックフレーム１０が本発明の「シートフレーム」に相当する。具体的には、上記バックフレーム１０は、左右一対の縦長状の鋼板材から成るサイドフレーム１１と、各サイドフレーム１１の上端部間に一体的に架橋される形に結合されたアッパフレーム１２と、各サイドフレーム１１の下端部間に一体的に架橋される形に結合されたロアパネル１３と、によって正面視四角枠状の形に組まれた構成とされている。
【００２３】
上述した各サイドフレーム１１は、それぞれ、１枚の鋼板材がシート高さ方向に長尺な板形状にプレスカットされて形成されており、互いがシート幅方向に向かい合う形に面を向けて配設された状態とされている。各サイドフレーム１１は、それらの前後側の各縁部がシート内側に折り曲げられることにより、曲げや捩りに対する構造強度が高められていると共に、外周部にエッジを立たせない形に丸められた形状とされている。
【００２４】
アッパフレーム１２は、１枚の鋼板材がシート幅方向に長尺な板形状にプレスカットされた後、全体が側面視逆Ｕ字状の形に折り曲げられて形成されている。上記アッパフレーム１２は、上述した各サイドフレーム１１の上端部間に跨る形に組み付けられて溶接により強固に一体的に結合された状態とされている。ロアパネル１３は、１枚の鋼板材がシート幅方向に長尺な板形状にプレスカットされて形成されており、上述した各サイドフレーム１１の下端側の後縁部間に前方側から跨る形に組み付けられて溶接により強固に一体的に結合された状態とされている。上記結合により、ロアパネル１３は、各サイドフレーム１１の配設向きと直交するシート前後方向に面を向ける形に配設された状態とされている。
【００２５】
上記構成のバックフレーム１０を備えたシートバック２は、その左右両側のサイドフレーム１１の下端部が、上述した各リクライナ２０を介して、シートクッション３の左右両側の後端部に結合された各リクライニングプレート３Ａに連結されている。各リクライニングプレート３Ａは、シートクッション３の骨格を成す不図示のクッションフレームの左右両側の後端部にボルト締結されて強固に一体的に結合された状態として設けられている。
【００２６】
各リクライニングプレート３Ａは、上述した各リクライナ２０を介して重量物であるシートバック２を下方側から強く支えることができるよう、上述したシートバック２の各サイドフレーム１１よりも厚手の構造強度の高い鋼板材により形成されている。このような厚手の各リクライニングプレート３Ａに各リクライナ２０が結合されていることにより、これらリクライナ２０とリクライニングプレート３Ａとの結合強度も高く確保されている。したがって、シートバック２に掛けられる背凭れ荷重や各種衝突荷重によって、シートバック２から各側のリクライナ２０を介して各リクライニングプレート３Ａに曲げモーメント等の大きな負荷が掛けられても、これらの負荷が上述した各リクライナ２０とこれらに結合された各リクライニングプレート３Ａとにおいて強く受け止められるようになっている。
【００２７】
一方、シートバック２の各サイドフレーム１１は、軽量化と高強度化の両立を図る観点から、上述した各リクライニングプレート３Ａよりも板厚の薄い、厚さ１ｍｍの引張り強さが９８０ＭＰａの超高張力鋼板材により形成されている。各サイドフレーム１１は、このような構成となっていることにより、板厚が薄くても、シートバック２に掛けられる背凭れ荷重や各種衝突荷重を強く受け止めることができる構成とされている。具体的には、上記各サイドフレーム１１は、それらの形状の前後幅が、各サイドフレーム１１の自由端側となる上端側から支持端側となる下端側に向かって漸次増大していく形に形成されていることにより、上記シートバック２に掛けられる背凭れ荷重や各種衝突荷重を強く受け止めることのできる構成とされている。
【００２８】
ところで、上述したシートバック２の背凭れ角度を前後方向に傾動させる各移動は、シートバック２の各サイドフレーム１１に形成されたストッパ１１Ａが、各側のリクライニングプレート３Ａの前後側の各周縁部に突出して形成された前側係止突起３Ａ１又は後側係止突起３Ａ２に当接することで止められるようになっている（図５参照）。上記各ストッパ１１Ａは、シートバック２の各サイドフレーム１１から絞り加工によりシート外側に向かって真っ直ぐ一体的に張り出す形となって形成されている。
【００２９】
＜各機構の具体的な構成＞
以下、上述したシートバック２の各サイドフレーム１１の構成について、上述した各側のリクライナ２０やリクライニングプレート３Ａ等の周辺部品の構成と併せて図２〜図５を用いて詳しく説明していく。なお、これらは互いに左右対称な一対の構成となっているため、以下では、これらを代表して、車両外側に配置された片側の構成についてのみ、具体的に詳しく説明していくこととする。
【００３０】
＜リクライナ２０＞
先ず、リクライナ２０の構成について説明する。なお、リクライナ２０は、特開２０１１−２４０７５８号公報等の文献に開示されている公知の構成となっているため、以下ではその主要部の構造のみを簡潔に説明することとする。図２〜図４に示すように、リクライナ２０は、上述したシートバック２のサイドフレーム１１と、そのシート外側に向かい合って配置されるリクライニングプレート３Ａと、の間に挟まれて配置されており、これらを互いに相対回転させられる形に連結している。
【００３１】
具体的には、上記リクライナ２０は、図４に示すように、シートバック２のサイドフレーム１１のシート外側の側部に連結された外歯車２１と、リクライニングプレート３Ａのシート内側の側部に連結された内歯車２２と、外歯車２１と内歯車２２とを互いに軸方向に組み付けた状態に保持する外周リング２３と、内歯車２２の中心部に通されて回転により外歯車２１との間に組み付けられた不図示の回転止め構造を操作する操作軸２４と、内歯車２２のシート外側の側部に組み付けられて上記不図示の回転止め機構の構成部品の脱落を防ぐキャップ２５と、を有する構成となっている。
【００３２】
上記外歯車２１と内歯車２２とは、互いに軸方向に組み付けられて、常時は上述した不図示の回転止め構造により互いが径方向に押し付けられてバックラッシのない深い噛合状態に保持されて回転止めされた状態とされている。上記外歯車２１と内歯車２２とは、内歯車２２の中心部に通された操作軸２４が、コネクティングロッドＲを介して連結された駆動モータＭからの回転出力の伝達を受けて回されることにより、上記不図示の回転止め構造が操作軸２４の回転方向に押し回されて、互いの噛合位置を変化させていく形で相対回転するようになっている。
【００３３】
上記外歯車２１と内歯車２２とは、上記駆動モータＭの回転が止められた状態では、互いが上記不図示の回転止め構造によりバックラッシのない深い噛合状態に押し付けられた状態に保持されると共に、駆動モータＭからのブレーキ力の伝達を受けて、強く回転止めされた状態に保持されるようになっている。上記駆動モータＭは、車両外側のサイドフレーム１１のシート内側の側面部にボルト締結されて取り付けられている。
【００３４】
＜ストッパ１１Ａ＞
上述したサイドフレーム１１に形成されたストッパ１１Ａは、図２及び図３に示すように、サイドフレーム１１におけるリクライナ２０との連結部より僅かに高い位置に、絞り加工によってシート外側（幅方向）に押し出された形となって形成されている。上記ストッパ１１Ａは、図５に示すように、側面視が略逆台形状の形となるように押し出されており、サイドフレーム１１の側面と平行な縦で切った断面が略逆台形状の閉断面を成す、外側部の閉じられた有底の筒型形状に形成された状態とされている。
【００３５】
上記ストッパ１１Ａは、上記のように全周がサイドフレーム１１と繋がる閉断面でかつシート外側に張り出した先が閉じられた有底の構成となっていることにより、シートバック２の傾動によりリクライニングプレート３Ａの前側係止突起３Ａ１や後側係止突起３Ａ２に押し当てられた際に受ける圧縮負荷や曲げの負荷を強く受け止めることのできる、高い構造強度を備えた構成とされている。詳しくは、上記ストッパ１１Ａは、上記のように側面視が略逆台形状の形とされていることにより、その前側の側面部１１Ａ１と後側の側面部１１Ａ２とが、それぞれ、リクライニングプレート３Ａの前側係止突起３Ａ１と後側係止突起３Ａ２とに対して真っ直ぐ面で当接する形に形成された状態とされている。これにより、ストッパ１１Ａは、前側係止突起３Ａ１と後側係止突起３Ａ２とに押し当てられた際に受ける負荷を広く面方向に分散させて、重量物であるシートバック２を強く受け止めることができるようになっている。
【００３６】
＜まとめ＞
以上をまとめると、本実施例のシート１は次のような構成となっている。すなわち、シート１は、バックフレーム１０（シートフレーム）にシートバック２の傾動を当接により規制するストッパ１１Ａが幅方向に張り出して設けられた構成となっている。上記ストッパ１１Ａは、バックフレーム１０の一部を絞り加工により張り出す形に移設して形成されている。このような構成となっていることにより、バックフレーム１０にストッパ１１Ａを形成するために、バックフレーム１０とは別の部材を用意する必要がなくなる。したがって、シートバック２の傾動を規制するストッパ構造を合理的な構成で得ることができる。
【００３７】
上記ストッパ１１Ａは、詳しくは、シートバック２のサイドフレーム１１の一部が幅方向に絞り加工されて形成されている。このような構成となっていることにより、ストッパ１１Ａを、サイドフレーム１１と一体的かつ閉断面で張り出す高い構造強度を備えた形に形成することができる。また、ストッパ１１Ａを、サイドフレーム１１と結合することなく、サイドフレーム１１と一体的な形に形成することができる。
【００３８】
より詳しくは、上記ストッパ１１Ａは、サイドフレーム１１の前後方向の両端箇所を残す中央箇所に形成されている。このように、ストッパ１１Ａを、絞り加工時に伸張しやすいサイドフレーム１１の中央箇所に形成することで、適切に張り出させた形に形成することができる。
【実施例２】
【００３９】
続いて、実施例２のシート１の構成について、図６〜図７を用いて説明する。本実施例では、シートバック２のサイドフレーム１１からシート外側に張り出すストッパ１１Ｂが、サイドフレーム１１からシート外側に垂直に倒し込まれる形に切り起こされて形成されている。上記ストッパ１１Ｂは、そのサイドフレーム１１から切り起こされた先の領域部が、更に下方側に折り返されて２重に折り重ねられた形で張り出す形状とされている。これにより、上記ストッパ１１Ｂは、その前側の側部と後側の側部とを、それぞれ、リクライニングプレート３Ａの前側係止突起３Ａ１と後側係止突起３Ａ２とに当てることでシートバック２の傾動を強く係止させることのできる高い構造強度を備えた構成とされている。
【００４０】
このように、ストッパ１１Ｂが、シートバック２のサイドフレーム１１の一部から幅方向に切り起こされて形成されていることにより、ストッパ１１Ｂを、サイドフレーム１１と結合することなく、サイドフレーム１１と一体的な形に簡便に形成することができる。また、上記ストッパ１１Ｂの切り起こされた箇所が折り重ねられた構成となっていることにより、ストッパ１１Ｂを、簡便かつ高い構造強度を備えた形に形成することができる。なお、上記以外の構成については、実施例１で示したシート１と同じ構成となっているため、同一の符号を付して説明を省略することとする。
【００４１】
＜その他の実施形態＞
以上、本発明の実施形態を２つの実施例を用いて説明したが、本発明は上記実施例のほか各種の形態で実施することができるものである。例えば、本発明の乗物用シートは、鉄道等の自動車以外の車両や、航空機、船舶等の様々な乗物用に供されるシートにも広く適用することができるものである。
【００４２】
また、本発明の構成は、シートクッション等のフロア上に設置されるベースのフレームに適用されていてもよい。また、ストッパは、シートフレームから幅方向に張り出して機能するものであればよく、シート幅方向の外側の他、内側に張り出すものであってもよい。また、ストッパは、シートフレームから絞り加工されたり切り起こされたりして形成されるものに限らず、シートフレームに予め余剰に延びる形状部位を設けておき、この余剰な形状部位を折り曲げることで形成してもよい。このようにすることで、ストッパを、シートフレームの肉抜きをすることなく形成することができる。
【００４３】
具体的には、上記実施例で示した構成を例に説明すると、シートバックのサイドフレームを予め下方側や前後左右に延長させた余剰な形状部位を備えた形状としておき、この余剰な形状部位を折り曲げてストッパとして張り出させる構成としてもよい。または、サイドフレームと隣り合うロアパネルから形状の一部を切り起こして、これをストッパとして張り出させる構成としてもよい。また、ストッパは、シートフレームの他の一部が切り抜かれて幅方向に張り出す形に結合されて設けられるものであってもよい。
【００４４】
また、上記実施例では、本発明のリクライナとして電動タイプの構成を例示したが、これに代えて、特開２０１５−３０３４２号公報等の文献に開示されるような手動によるロック・解除操作式のリクライナを適用してもよい。この場合において、シートバックのサイドフレームとリクライニングプレートとの間に、シートバックに対して常時、前側に起こし上げる方向の附勢力を掛けるスパイラルスプリングが掛着される場合には、このスパイラルスプリングの径方向の外側の端部をストッパに引掛ける構成とすることで、より適切な構成の合理化を図ることができる。
【符号の説明】
【００４５】
１      シート
２      シートバック
３      シートクッション
３Ａ    リクライニングプレート
３Ａ１  前側係止突起
３Ａ２  後側係止突起
４      ヘッドレスト
５      スライドレール
５Ａ    スイッチ
１０    バックフレーム（シートフレーム）
１１    サイドフレーム
１１Ａ  ストッパ
１１Ａ１  前側の側面部
１１Ａ２  後側の側面部
１１Ｂ  ストッパ
１２    アッパフレーム
１３    ロアパネル
２０    リクライナ
２０Ａ  スイッチ
２１    外歯車
２２    内歯車
２３    外周リング
２４    操作軸
２５    キャップ
Ｒ      コネクティングロッド
Ｍ      駆動モータ
【図１】
0006520532.tif 000002
【図２】
0006520532.tif 000003
【図３】
0006520532.tif 000004
【図４】
0006520532.tif 000005
【図５】
0006520532.tif 000006
【図６】
0006520532.tif 000007
【図７】
0006520532.tif 000008